【手続補正書】
【提出日】平成18年2月16日(2006.2.16)
【手続補正１】
【補正対象書類名】明細書
【補正対象項目名】特許請求の範囲
【補正方法】変更
【補正の内容】
【特許請求の範囲】    【請求項１】下記の式で表される化合物：    【化１】2002518395.tif 000001
上式で、Aは単結合または二重結合によって環に結合されている酸素または硫黄であり、YおよびZは共役環であり、Y環はアルコキシ、アミノ、アシル、脂肪族、シアノ、ニトロ、カルボキシル、ハロゲン、水素、ヒドロキシル、およびイミノからなる群より選択される置換基R1で置換された、少なくとも1個の炭素原子を有し；R2は水素、ベンジル、低級アルキル、および低級アルキルエステルからなる群より選択され；Z環は水素、および低級脂肪族からなる群より選択される置換基R3を有し；さらに、R1およびR2が水素であり、かつZ環が炭素C8〜C11を有する6員環に縮合した5員環を含む場合、該6員環は炭素原子C9およびC11の双方に臭素および塩素からなる群より選択される置換基を含むか、または双方に臭素もしくは塩素以外の置換基を含む。    【請求項２】Aが二重結合の酸素である、請求項１記載の化合物。    【請求項３】Y環が6員環であり、かつZ環が5員環である、請求項１記載の化合物。    【請求項４】Z環が共役6員環に縮合した共役5員環である、請求項１記載の化合物。    【請求項５】R2が水素である、請求項１記載の化合物。    【請求項６】R2が水素であり、Y環がベンゼン環であり、かつZ環が6員環に縮合した5員環である、請求項２記載の化合物。    【請求項７】下記の式をさらに満たす、請求項１記載の化合物：    【化２】2002518395.tif 000002
上式で、Aは単結合または二重結合によって環に結合されている酸素または硫黄であり；R2は水素、アリール、および低級脂肪族置換基からなる群より選択され；R4〜R7はアルコキシ、アミノ、アシル、脂肪族、脂肪族アルコール、脂肪族ニトリル、シアノ、ニトロ、カルボキシル、ハロゲン、水素、ヒドロキシル、イミノおよびα、β不飽和ケトンからなる群より個別に選択され；R8〜R11は脂肪族、脂肪族アルコール、アルコキシ、アシル、シアノ、ニトロ、エポキシ、ハロアルキル基、ハロゲン、水素およびヒドロキシルからなる群より個別に選択され；R12は脂肪族、脂肪族アルコール、カルボン酸、および水素からなる群より選択される。    【請求項８】Aが二重結合の酸素である、請求項７記載の化合物。    【請求項９】R2がH、-CH2COOCH3、-CH3、および-CH2Phからなる群より選択される、請求項７記載の化合物。    【請求項１０】R2が水素である、請求項７記載の化合物。    【請求項１１】R4〜R7がアルコキシ、アミノ、アシル、アルキル、アルケニル、アルキニル、シアノ、ニトロ、カルボキシル、ハロゲン、水素、ヒドロキシルおよびイミノ、低級脂肪族アルコール、低級脂肪族ニトリル、ならびにα、β不飽和ケトンからなる群より個別に選択される、請求項７記載の化合物。    【請求項１２】R4〜R7が-H、-OH、-C(=NH)NH2、-CO2H、-Br、-OCH3、シアノエチル、3-ヒドロキシ-1-プロピニル、3-オキソ-1-ブテニル、および2-(1-ヒドロキシシクロヘキシル)-エチニルからなる群より個別に選択される、請求項７記載の化合物。    【請求項１３】R8〜R11がアルコール、アルコキシ、アシル、アルキル、アルケニル、アルキニル、シアノ、ニトロ、エポキシ、ハロアルキル、ハロゲン、水素、およびヒドロキシルからなる群より個別に選択される、請求項７記載の化合物。    【請求項１４】R8〜R11が-H、ハロゲン、-OH、-CH2OH、-CH2CHOCH2、-CH2CH2CHOCH2、-CF3および-OCH3からなる群より個別に選択される、請求項７記載の化合物。    【請求項１５】R12がアルコール、シアノ、ニトロ、カルボン酸、水素および低級アルキル基からなる群より選択される、請求項７記載の化合物。    【請求項１６】R12が-H、-CH2CH2OH、-CH3および-CH2CH3からなる群より選択される、請求項７記載の化合物。    【請求項１７】10-ブロモ-7,12-ジヒドロ-インドロ[3,2-d][1]ベンズアゼピン-6(5H)-オン、8-ブロモ-6,11-ジヒドロ-チエノ[3',2':2,3アゼピノ[4,5-b]インドール-5(4H)-オン、9-ブロモ-7,12-ジヒドロ-4-メトキシ-インドロ[3,2-d][1]ベンズアゼピン-6(5H)-オン、9-ブロモ-7,12-ジヒドロ-4-ヒドロキシ-インドロ[3,2-d][1]ベンズアゼピン-6(5H)-オン、7,12-ジヒドロ-4-メトキシ-インドロ[3,2-d][1]ベンズアゼピン-6(5H)-オン、9-ブロモ-7,12-ジヒドロ-2,3-ジメトキシ-インドロ[3,2-d][1]ベンズアゼピン-6(5H)-オン、9-ブロモ-7,12-ジヒドロ-2,3-ジヒドロキシ-インドロ[3,2-d][1]ベンズアゼピン-6(5H)-オン、7,12-ジヒドロ-2,3-ジメトキシ-インドロ[3,2-d][1]ベンズアゼピン-6(5H)-オン、7,12-ジヒドロ-9-トリフルオロメチル-インドロ[3,2-d][1]ベンズアゼピン-6(5H)-オン、7,12-ジヒドロ-2,3-ジメトキシ-9-トリフルオロメチル-インドロ[3,2-d][1]ベンズアゼピン-6(5H)-オン、2-ブロモ-7,12-ジヒドロ-9-トリフルオロメチル-インドロ[3,2-d][1]ベンズアゼピン-6(5H)-オン、9-ブロモ-7,12-ジヒドロ-インドロ[3,2-d][1]ベンズアゼピン-6(5H)-チオン、9-ブロモ-5,12-ビス-(t-ブチルオキシ���ルボニル)-7,12-ジヒドロ-インドロ[3,2-d][1]ベンズアゼピン-6(5H)-オン、9-ブロモ-12-(t-ブチルオキシカルボニル)-7,12-ジヒドロ-インドロ[3,2-d][1]ベンズアゼピン-6(5H)-オン、9-ブロモ-5,7-ビス-(t-ブチルオキシカルボニル)-7,12-ジヒドロ-インドロ[3,2-d][1]ベンズアゼピン-6(5H)-オン、9-ブロモ-5,7,12-トリ-(t-ブチルオキシカルボニル)-7,12-ジヒドロ-インドロ[3,2-d][1]ベンズアゼピン-6(5H)-オン、9-ブロモ-7,12-ジヒドロ-5-メチルオキシカルボニルメチル-インドロ[3,2-d][1]ベンズアゼピン-6(5H)-オン、9-ブロモ-7,12-ジヒドロ-12-メチルオキシカルボニルメチル-インドロ[3,2-d][1]ベンズアゼピン-6(5H)-オン、9-ブロモ-7,12-ジヒドロ-12-(2-ヒドロキシエチル)-インドロ[3,2-d][1]ベンズアゼピン-6(5H)-オン、2,9-ジブロモ-7,12-ジヒドロ-インドロ[3,2-d][1]ベンズアゼピン-6(5H)-オン、8,10-ジクロロ-7,12-ジヒドロ-インドロ[3,2-d][1]ベンズアゼピン-6(5H)-オン、9-シアノ-7,12-ジヒドロ-インドロ[3,2-d][1]ベンズアゼピン-6(5H)-オン、9-ブロモ-7,12-ジヒドロ-5-メチル-インドロ[3,2-d][1]ベンズアゼピン-6(5H)-オン、5-ベンジル-9-ブロモ-7,12-ジヒドロ-5-メチル-インドロ[3,2-d][1]ベンズアゼピン-6(5H)-オン、9-ブロモ-7,12-ジヒドロ-12-メチル-インドロ[3,2-d][1]ベンズアゼピン-6(5H)-オン、9-ブロモ-12-エチル-7,12-ジヒドロ-インドロ[3,2-d][1]ベンズアゼピン-6(5H)-オン、9-ブロモ-7,12-ジヒドロ-12-(2-プロペニル)-インドロ[3,2-d][1]ベンズアゼピン-6(5H)-オン、7,12-ジヒドロ-9-メチル-インドロ[3,2-d][1]ベンズアゼピン-6(5H)-オン、7,12-ジヒドロ-9-メトキシ-インドロ[3,2-d][1]ベンズアゼピン-6(5H)-オン、9-フルオロ-7,12-ジヒドロ-12-(2-プロペニル)-インドロ[3,2-d][1]ベンズアゼピン-6(5H)-オン、9-ブロモ-7,12-ジヒドロ-2-(メチルイミノアミン)-インドロ[3,2-d][1]ベンズアゼピン-6(5H)-オン、9-ブロモ-7,12-ジヒドロ-2-(カルボン酸)-インドロ[3,2-d][1]ベンズアゼピン-6(5H)-オン、9-ブロモ-7,12-ジヒドロ-10-ヒドロキシ-インドロ[3,2-d][1]ベンズアゼピン-6(5H)-オン、9-ブロモ-7,12-ジヒドロ-11-ヒドロキシメチル-インドロ[3,2-d][1]ベンズアゼピン-6(5H)-オン、7,12-ジヒドロ-4-ヒドロキシ-インドロ[3,2-d][1]ベンズアゼピン-6(5H)-オンおよび7,12-ジヒドロ-2,3-ジヒドロキシ-インドロ[3,2-d][1]ベンズアゼピン-6(5H)-オン、2,3-ジメトキシ-9-ニトロ-7,12-ジヒドロ-インドロ[3,2-d][1]ベンズアゼピン-6(5H)-オン、9-シアノ-7,12-ジヒドロ-インドロ[3,2-d][1]ベンズアゼピン-6(5H)-オン、2,3-ジメトキシ,9-シアノ-7,12-ジヒドロ-インドロ[3,2-d][1]ベンズアゼピン-6(5H)-オン、9-ニトロ-7,12-ジヒドロ-インドロ[3,2-d][1]ベンズアゼピン-6(5H)-オン、3-(6-オキソ-9-トリフルオロメチル-5,6,7,12-テトラヒドロ-インドロ[3,2-d][1]ベンズアゼピン-2-イル)-プロピオニトリル、2-ブロモ-9-ニトロ-7,12-ジヒドロ-インドロ[3,2-d][1]ベンズアゼピン-6(5H)-オン、3-(6-オキソ-9-トリフルオロメチル-5,6,7,12-テトラヒドロ-インドロ[3,2-d][1]ベンズアゼピン-2-イル)-アクリロニトリル、2-(3-ヒドロキシ-1-プロピニル),9-トリフルオロメチル-7,12-ジヒドロ-インドロ[3,2-d][1]ベンズアゼピン-6(5H)-オン、2-ヨード-9-ブロモ-7,12-ジヒドロ-インドロ[3,2-d][1]ベンズアゼピン-6(5H)-オン、2-(3-オキソ-1-ブテニル),9-トリフルオロメチル-7,12-テトラヒドロ-インドロ[3,2-d][1]ベンズアゼピン-6(5H)-オン、8-クロロ-6,11-ジヒドロ-チエノ[3',2':2,3]アゼピノ[4,5-b]インドール-5(4H)-オン、2-ヨード,9-トリフルオロメチル-7,12-ジヒドロ-インドロ[3,2-d][1]ベンズアゼピン-6(5H)-オン、7,12-ジヒドロ-ピリド[3',2':4,5]ピロロ[3,2-d][1]ベンズアゼピン-6(5H)-オン、11-メチル-7,12-ジヒドロ-インドロ[3,2-d][1]ベンズアゼピン-6(5H)-オン、2-[2-(1-ヒドロキシシクロヘキシル)-エチニル],9-トリフルオロメチル-7,12-ジヒドロ-インドロ[3,2-d][1]ベンズアゼピン-6(5H)-オン、2-シアノ-7,12-ジヒドロ-インドロ[3,2-d][1]ベンズアゼピン-6(5H)-オン、2-ヨード-7,12-ジヒドロ-インドロ[3,2-d][1]ベンズアゼピン-6(5H)-オン、11-エチル-7,12-ジヒドロ-インドロ[3,2-d][1]ベンズアゼピン-6(5H)-オン、8-メチル-6,11-ジヒドロ-チエノ[3',2':2,3]アゼピノ[4,5-b]インドール-5(4H)-オン、3-(6-オキソ-9-トリフルオロメチル-5,6,7,12-テトラヒドロ-インドロ[3,2-d][1]ベンズアゼピン-2-イル)アクリル酸メチルエステルからなる群より選択される、請求項７記載の化合物。    【請求項１８】9-シアノ-7,12-ジヒドロ-インドロ[3,2-d][1]ベンズアゼピン-6(5H)-オン、9-ブロモ-7,12-ジヒドロ-2,3-ジメトキシ-インドロ[3,2-d][1]ベンズアゼピン-6(5H)-オン、2-ブロモ-7,12-ジヒドロ-9-トリフルオロメチル-インドロ[3,2-d][1]ベンズアゼピン-6(5H)-オン、7,12-ジヒドロ-2,3-ジメトキシ-9-トリフルオロメチル-インドロ[3,2-d][1]ベンズアゼピン-6(5H)-オン、2,9-ジブロモ-7,12-ジヒドロ-インドロ[3,2-d][1]ベンズアゼピン-6(5H)-オン、7,12-ジヒドロ-9-トリフルオロメチル-インドロ[3,2-d][1]ベンズアゼピン-6(5H)-オン、8-ブロモ-6,11-ジヒドロ-チエノ[3',2':2,3]アゼピノ[4,5-b]インドール-5(4H)-オン、7,12-ジヒドロ-9-メトキシ-インドロ[3,2-d][1]ベンズアゼピン-6(5H)-オン、10-ブロモ-7,12-ジヒドロ-インドロ[3,2-d][1]ベンズアゼピン-6(5H)-オン、9-フルオロ-7,12-ジヒドロ-インドロ[3,2-d][1]ベンズアゼピン-6(5H)-オン、9-メチル-7,12-ジヒドロ-インドロ[3,2-d][1]ベンズアゼピン-6(5H)-オン、9-ブロモ-7,12-ジヒドロ-インドロ[3,2-d][1]ベンズアゼピン-6(5H)-チオン、8,10-ジクロロ-7,12-ジヒドロ-インドロ[3,2-d][1]ベンズアゼピン-6(5H)-オン、9-ブロモ-7,12-ジヒドロ-12-(2-ヒドロキシエチル)-インドロ[3,2-d][1]ベンズアゼピン-6(5H)-オン、9-ブロモ-7,12-ジヒドロ-2,3-ジヒドロキシ-インドロ[3,2-d][1]ベンズアゼピン-6(5H)-オン、7,12-ジヒドロ-2,3-ジメトキシ-インドロ[3,2-d][1]ベンズアゼピン-6(5H)-オン、9-ブロモ-7,12-ジヒドロ-12-メチル-インドロ[3,2-d][1]ベンズアゼピン-6(5H)-オン、9-ブロモ-7,12-ジヒドロ-5-メチルオキシカルボニルメチル-インドロ[3,2-d][1]ベンズアゼピン-6(5H)-オンおよび7,12-ジヒドロ-インドロ[3,2-d][1]ベンズアゼピン-6(5H)-オンからなる群より選択される、請求項７記載の化合物。    【請求項１９】9-シアノ-7,12-ジヒドロ-インドロ[3,2-d][1]ベンズアゼピン-6(5H)-オン、9-ブロモ-7,12-ジヒドロ-2,3-ジメトキシ-インドロ[3,2-d][1]ベンズアゼピン-6(5H)-オン、2-ブロモ-7,12-ジヒドロ-9-トリフルオロメチル-インドロ[3,2-d][1]ベンズアゼピン-6(5H)-オン、7,12-ジヒドロ-2,3-ジメトキシ-9-トリフルオロメチル-インドロ[3,2-d][1]ベンズアゼピン-6(5H)-オン、2,9-ジブロモ-7,12-ジヒドロ-インドロ[3,2-d][1]ベンズアゼピン-6(5H)-オン、7,12-ジヒドロ-9-トリフルオロメチル-インドロ[3,2-d][1]ベンズアゼピン-6(5H)-オン、9-クロロ-7,12-ジヒドロ-インドロ[3,2-d][1]ベンズアゼピン-6(5H)-オン、8-ブロモ-6,11-ジヒドロ-チエノ[3',2':2,3]アゼピノ[4,5-b]インドール-5(4H)-オン、7,12-ジヒドロ-9-メトキシ-インドロ[3,2-d][1]ベンズアゼピン-6(5H)-オンからなる群より選択される、請求項７記載の化合物。    【請求項２０】9-ニトロ-7,12-ジヒドロ-インドロ[3,2-d][1]ベンズアゼピン-6(5H)-オンである、請求項７記載の化合物。    【請求項２１】下記の式1の化合物の有効な量を含む組成物：    【化３】2002518395.tif 000003
上式で、Aは単結合または二重結合によって環に結合されている酸素または硫黄であり、YおよびZは共役環であり、Y環はアルコキシ、アミノ、アシル、脂肪族、シアノ、ニトロ、カルボキシル、ハロゲン、水素、ヒドロキシル、およびイミノからなる群より選択される置換基R1で置換された、少なくとも1個の炭素原子を有し；R2は水素、ベンジル、低級アルキル、および低級アルキルエステルからなる群より選択され；Z環は水素、および低級脂肪族からなる群より選択される置換基R3を有し；さらに、R1およびR2が水素であり、かつZ環が炭素C8〜C11を有する6員環に縮合した5員環を含む場合、該6員環は炭素原子C9およびC11の双方に臭素および塩素からなる群より選択される置換基を含むか、または双方に臭素もしくは塩素以外の置換基を含む。    【請求項２２】Aが酸素に二重結合されている、請求項２１記載の組成物。    【請求項２３】Y環が6員環であり、かつZ環が5員環である、請求項２１記載の組成物。    【請求項２４】Z環が6員環に縮合した5員環である、請求項２１記載の組成物。    【請求項２５】R2が水素である、請求項２１記載の組成物。    【請求項２６】R2が水素であり、Y環がベンゼン環であり、かつZ環が6員環に縮合した5員環である、請求項２１記載の組成物。    【請求項２７】下記の式をさらに満たす、請求項２１記載の組成物：    【化４】2002518395.tif 000004
上式で、Aは単結合または二重結合によって環に結合されている酸素または硫黄であり；R2は水素、アリール、および低級脂肪族置換基からなる群より選択され；R4〜R7はアルコキシ、アミノ、アシル、脂肪族、脂肪族アルコール、脂肪族ニトリル、シアノ、ニトロ、カルボキシル、ハロゲン、水素、ヒドロキシル、イミノおよびα、β不飽和ケトンからなる群より個別に選択され；R8〜R11は脂肪族、脂肪族アルコール、アルコキシ、アシル、シアノ、ニトロ、エポキシ、ハロアルキル基、ハロゲン、水素およびヒドロキシルからなる群より個別に選択され；R12は脂肪族、脂肪族アルコール、カルボン酸、および水素からなる群より選択される。    【請求項２８】Aが酸素に二重結合されている、請求項２７記載の組成物。    【請求項２９】R2がH、-CH2COOCH3、-CH3、および-CH2Phからなる群より選択される、請求項２７記載の組成物。    【請求項３０】R2が水素である、請求項２７記載の組成物。    【請求項３１】R4〜R7がアルコキシ、アミノ、アシル、アルキル、アルケニル、アルキニル、シアノ、ニトロ、カルボキシル、ハロゲン、水素、ヒドロキシル、イミノ、低級脂肪族アルコール、低級脂肪族ニトリル、およびα、β不飽和ケトンからなる群より個別に選択される、請求項２７記載の組成物。    【請求項３２】R4〜R7が-H、-OH、-C(=NH)NH2、-CO2H、-Br、-OCH3、シアノエチル、3-ヒドロキシ-1-プロピニル、3-オキソ-1-ブテニル、および2-(1-ヒドロキシシクロヘキシル)-エチニルからなる群より個別に選択される、請求項２７記載の組成物。    【請求項３３】R8〜R11がアルコール、アルコキシ、アシル、アルキル、アルケニル、アルキニル、シアノ、ニトロ、エポキシ、ハロアルキル、ハロゲン、水素、ヒドロキシル、および低級アルキルからなる群より個別に選択される、請求項２７記載の組成物。    【請求項３４】R8〜R11が-H、ハロゲン、-OH、-CH2OH、-CH2CHOCH2、-CH2CH2CHOCH2、-CF3および-OCH3からなる群より個別に選択される、請求項２７記載の組成物。    【請求項３５】R12がアルコール、カルボン酸、水素および低級アルキル基からなる群より選択される、請求項２７記載の組成物。    【請求項３６】R12が-H、-CH2CH2OH、-CH3および-CH2CH3からなる群より選択される、請求項２７記載の組成物。    【請求項３７】不活性担体、賦形剤、診断薬、直接圧縮結合剤、緩衝剤、安定化剤、充填剤、崩壊剤、着香剤、着色剤、潤滑剤、他の活性成分、薬学的組成物の調合において都合よく用いられる他の物質、およびその混合物をさらに含む、請求項２７記載の組成物。    【請求項３８】対象者における生細胞の増殖を阻害する方法であって、下記の式1の化合物、または該化合物を含む組成物を提供する段階と、対象者における生細胞の増殖を阻害するために、該化合物、または該化合物を含む組成物の有効な量を対象者に投与する段階とを含む方法：    【化５】2002518395.tif 000005
上式で、Aは単結合または二重結合によって環に結合されている酸素または硫黄であり、YおよびZは共役環であり、Y環はアルコキシ、アミノ、アシル、脂肪族、シアノ、ニトロ、カルボキシル、ハロゲン、水素、ヒドロキシル、およびイミノからなる群より選択される置換基R1で置換された、少なくとも1個の炭素原子を有し；R2は水素、ベンジル、低級アルキル、および低級アルキルエステルからなる群より選択され；Z環は水素、および低級脂肪族置換基からなる群より選択される置換基R3を有し；さらに、R1およびR2が水素であり、Z環が6員環に縮合した5員環を含む場合、該6員環は臭素以外の置換基を含む。    【請求項３９】投与の段階が化合物または組成物を局所、経口、筋肉内、鼻腔内、皮下、腹腔内、病巣内または静脈内に投与することを含む、請求項３８記載の方法。    【請求項４０】有効な量が化合物の約0.1グラムから約3.0グラムを含む、請求項３８記載の方法。    【請求項４１】有効な量が1回の投与につき対象者の体重1kgあたり約30mgから約400mgを含む、請求項３８記載の方法。    【請求項４２】Aが二重結合の酸素である、請求項３８記載の方法。    【請求項４３】Y環が6員環であり、かつZ環が5員環である、請求項３８記載の方法。    【請求項４４】Z環が共役6員環に縮合した共役5員環である、請求項３８記載の方法。    【請求項４５】R2が水素である、請求項３８記載の方法。    【請求項４６】R2が水素であり、Y環がベンゼン環であり、かつZ環が共役6員環に縮合した5員環である、請求項３８記載の方法。    【請求項４７】化合物が下記の式をさらに満たす、請求項３８記載の方法：    【化６】2002518395.tif 000006
上式で、Aは単結合または二重結合によって右に結合されている酸素または硫黄であり；R2は水素、アリール、低級脂肪族からなる群より選択され；R4〜R7はアルコキシ、アミノ、アシル、脂肪族、脂肪族アルコール、脂肪族ニトリル、シアノ、ニトロ、カルボキシル、ハロゲン、水素、ヒドロキシル、イミノおよびα、β不飽和ケトンからなる群より個別に選択され；R8〜R11は脂肪族、脂肪族アルコール、アルコキシ、アシル、シアノ、ニトロ、エポキシ、ハロアルキル基、ハロゲン、水素およびヒドロキシルからなる群より個別に選択され；R12は脂肪族、脂肪族アルコール、カルボン酸、および水素からなる群より選択される。    【請求項４８】Aが酸素である、請求項４７記載の方法。    【請求項４９】R2がH、-CH2COOCH3、-CH3、および-CH2Phからなる群より選択される、請求項４７記載の方法。    【請求項５０】R2が水素である、請求項４７記載の方法。    【請求項５１】R4〜R7がアルコキシ、アミノ、カルボキシル、ハロゲン、水素、ヒドロキシル、イミノ、低級脂肪族アルコール、低級脂肪族ニトリル、およびα、β不飽和ケトンからなる群より個別に選択される、請求項４７記載の方法。    【請求項５２】R4〜R7が-H、-OH、-C(=NH)NH2、-CO2H、-Br、-OCH3、シアノエチル、3-ヒドロキシ-1-プロピニル、3-オキソ-1-ブテニル、および2-(1-ヒドロキシシクロヘキシル)-エチニルからなる群より個別に選択される、請求項４７記載の方法。    【請求項５３】R8〜R11がアルコール、アルコキシ、エポキシ、ハロアルキル基、ハロゲン、水素、ヒドロキシル、および低級アルキル基からなる群より個別に選択される、請求項４７記載の方法。    【請求項５４】R8〜R11が-H、ハロゲン、-OH、-CH2OH、-CH2CHOCH2、-CH2CH2CHOCH2、-CF3および-OCH3からなる群より個別に選択される、請求項４７記載の方法。    【請求項５５】R12がアルコール、カルボン酸、水素および低級アルキル基からなる群より選択される、請求項４７記載の方法。    【請求項５６】R12が-H、-CH2CH2OH、-CH3および-CH2CH3からなる群より選択される、請求項４７記載の方法。    【請求項５７】細胞が過増殖性である、請求項３８記載の方法。    【請求項５８】細胞が新生物である、請求項３８記載の方法。    【請求項５９】細胞が悪性腫瘍である、請求項３８記載の方法。    【請求項６０】8-ブロモ-6,11-ジヒドロ-チエノ[3',2':2,3]アゼピノ[4,5-b]インドール-5(4H)-オン、8-トリフルオロメチル-6,11-ジヒドロ-チエノ[3',2':2,3]アゼピノ[4,5-b]インドール-5(4H)-オン、8-クロロ-6,11-ジヒドロ-チエノ[3',2':2,3]アゼピノ[4,5-b]インドール-5(4H)-オン、8-メチル-6,11-ジヒドロ-チエノ[3',2':2,3]アゼピノ[4,5-b]インドール-5(4H)-オン、からなる群より選択される、請求項１記載の化合物。    【請求項６１】下記の式を有する、請求項１記載の化合物：    【化７】2002518395.tif 000007
【請求項６２】下記の式を有する、請求項１記載の化合物：    【化８】2002518395.tif 000008
【請求項６３】下記の式を有する、請求項１記載の化合物：    【化９】2002518395.tif 000009